(57)【特許請求の範囲】
【請求項１】
上面が地表面と平行になるように屋外に設置される自動販売機へＡＣ電源を含む電力を供給するための自動販売機用電力供給装置において、
太陽光を受けて発電するソーラーパネルと、
そのソーラーパネルにより発電された電力を充電し、かつその充電した電力を前記自動販売機に給電するバッテリーと、
そのバッテリーの充電量及び前記ＡＣ電源からの給電の有無を監視することにより、前記自動販売機を駆動するための電源を前記バッテリーとＡＣ電源との間で切り換えるコントローラーとを備え、
前記コントローラーは、前記バッテリーの充電量が前記自動販売機を駆動するに足るときには電源を前記ＡＣ電源から前記バッテリーに切り換えるとともに、前記バッテリーの充電量が不足するときには電源を前記バッテリーから前記ＡＣ電源に切り換え、さらに、前記ＡＣ電源からの給電がなくなった場合には電源を前記ＡＣ電源から前記バッテリーに切り換える一方、
地表面にて土台を構成する側部アンカーから前記自動販売機の両側部に沿ってそれぞれ立設する側部フレームと、
両側部フレームの上端部を前記自動販売機の上方に隙間をあけて地表面と平行に繋ぐことにより門型状の枠を構成するベース部とを備え、
前記ベース部上には前記ソーラーパネルが前記自動販売機の上方において前方側が低く後方側が高くなるように傾斜して取り付けられ、そのソーラーパネルが前記ベース部を介して前記両側部フレームにより支持され、
さらに、正面視における前記自動販売機及び前記ソーラーパネルの左右幅内であって、かつその自動販売機の背面側に近接して、前記バッテリーがボックス状のバッテリー保持部材に収容され、そのバッテリー保持部材は、後部アンカーから立設するバッテリー支持フレームに支持され、地表面より上方であって前記自動販売機の上面よりも低い位置に保持されることを特徴とする自動販売機用電力供給装置。
【請求項２】
前記バッテリー保持部材には、前記バッテリーとともに前記コントローラーが収容されている請求項１に記載の自動販売機用電力供給装置。
【請求項３】
前記ソーラーパネルは、前記ベース部から立設するパネル支持フレームに支持されるとともに、
前記パネル支持フレームとソーラーパネルとの取付位置又は取付角度の調節によって、前記ソーラーパネルの傾斜角を調整可能である請求項１又は２に記載の自動販売機用電力供給装置。
【請求項４】
請求項１ないし３のいずれか１項に記載の自動販売機用電力供給装置を備え、電源を前記バッテリーとＡＣ電源との間で切り換えて給電されることを特徴とする自動販売機。
【発明の詳細な説明】
【技術分野】
【０００１】
本発明は、屋外に設置される自動販売機へ電力を供給するための自動販売機用電力供給装置と、その電力供給装置を備えた自動販売機に関する。
【背景技術】
【０００２】
従来より、ＡＣ電源（商用電源）の他に、ソーラーパネルにより発電された電力を給電可能な自動販売機が知られている（特許文献１，２参照）。
【０００３】
【特許文献１】特開２００６−１８９９８７号公報
【特許文献２】特開２００６−８２１６７号公報
【０００４】
これらに記載の技術によれば、ＡＣ電源の電力使用量を低減して省エネルギー化を図り、石油資源の効率的な利用に貢献することができる。しかし、これらの技術におけるソーラーエネルギーの利用は、特許文献１では表示体の可動、特許文献２では取出口の照明に限定され、自動販売機全体の電力使用量のうちのごくわずかに過ぎない。
【０００５】
特に最近では、ＡＣ電源（商用電源）の電力使用量を低減し、ＣＯ２排出量を削減し、地球温暖化等の地球環境の悪化を抑制するために、クリーンエネルギーの利用促進が注目されている。また、災害発生時等の停電時に駆動が停止されてしまうと自動販売機の販売機能（商品の搬送、取り出し）や販売品表示機能（照明）等が損なわれてしまう問題がある。
【発明の開示】
【発明が解決しようとする課題】
【０００６】
本発明の課題は、ＡＣ電源の電力使用量を低減し、ＣＯ２排出量を削減して、地球温暖化等の地球環境の悪化を抑制することができ、災害発生時等の停電時にも駆動可能であり、そのためのソーラーパネルの設置が自動販売機の周囲の空間を利用して簡素に構成できる自動販売機用電力供給装置と、それを備えた自動販売機を提供することにある。
【課題を解決するための手段及び発明の効果】
【０００７】
このような自動販売機用電力供給装置では、
屋外に設置される自動販売機へＡＣ電源を含む電力を供給するための自動販売機用電力供給装置において、
太陽光を受けて発電するソーラーパネルと、
そのソーラーパネルにより発電された電力を充電し、かつその充電した電力を前記自動販売機に給電するバッテリーと、
そのバッテリーの充電量及び前記ＡＣ電源からの給電の有無を監視することにより、前記自動販売機を駆動するための電源を前記バッテリーとＡＣ電源との間で切り換えるコントローラーとを備え、
前記コントローラーは、前記バッテリーの充電量が前記自動販売機を駆動するに足るときには電源を前記ＡＣ電源から前記バッテリーに切り換えるとともに、前記バッテリーの充電量が不足するときには電源を前記バッテリーから前記ＡＣ電源に切り換え、さらに、前記ＡＣ電源からの給電がなくなった場合には電源を前記ＡＣ電源から前記バッテリーに切り換える一方、
土台を構成するアンカー部から前記自動販売機の両側部に沿ってそれぞれ立設する側部フレームと、
両側部フレームの上端部を前記自動販売機の上側において繋ぐベース部とを備え、
前記ベース部上には前記ソーラーパネルが前記自動販売機の上方において取り付けられ、そのソーラーパネルが前記ベース部を介して前記両側部フレームにより支持されることを前提とする。
【０００８】
そして、上記課題を解決するために、本発明の自動販売機用電力供給装置は、
上面が地表面と平行になるように屋外に設置される自動販売機へＡＣ電源を含む電力を供給するための自動販売機用電力供給装置において、
太陽光を受けて発電するソーラーパネルと、
そのソーラーパネルにより発電された電力を充電し、かつその充電した電力を前記自動販売機に給電するバッテリーと、
そのバッテリーの充電量及び前記ＡＣ電源からの給電の有無を監視することにより、前記自動販売機を駆動するための電源を前記バッテリーとＡＣ電源との間で切り換えるコントローラーとを備え、
前記コントローラーは、前記バッテリーの充電量が前記自動販売機を駆動するに足るときには電源を前記ＡＣ電源から前記バッテリーに切り換えるとともに、前記バッテリーの充電量が不足するときには電源を前記バッテリーから前記ＡＣ電源に切り換え、さらに、前記ＡＣ電源からの給電がなくなった場合には電源を前記ＡＣ電源から前記バッテリーに切り換える一方、
地表面にて土台を構成する側部アンカーから前記自動販売機の両側部に沿ってそれぞれ立設する側部フレームと、
両側部フレームの上端部を前記自動販売機の上方に隙間をあけて地表面と平行に繋ぐことにより門型状の枠を構成するベース部とを備え、
前記ベース部上には前記ソーラーパネルが前記自動販売機の上方において前方側が低く後方側が高くなるように傾斜して取り付けられ、そのソーラーパネルが前記ベース部を介して前記両側部フレームにより支持され、
さらに、正面視における前記自動販売機及び前記ソーラーパネルの左右幅内であって、かつその自動販売機の背面側に近接して、前記バッテリーがボックス状のバッテリー保持部材に収容され、そのバッテリー保持部材は、後部アンカーから立設するバッテリー支持フレームに支持され、地表面より上方であって前記自動販売機の上面よりも低い位置に保持されることを特徴とする。
【０００９】
なお、上記した自動販売機用電力供給装置は、
屋外に設置される自動販売機へＡＣ電源を含む電力を供給するための自動販売機用電力供給装置において、
太陽光を受けて発電するソーラーパネルと、
そのソーラーパネルにより発電された電力を充電し、かつその充電した電力を前記自動販売機に給電するバッテリーと、
そのバッテリーの充電量及び前記ＡＣ電源からの給電の有無を監視することにより、前記自動販売機を駆動するための電源を前記バッテリーとＡＣ電源との間で切り換えるコントローラーとを備え、
前記コントローラーは、前記バッテリーの充電量が前記自動販売機を駆動するに足るときには電源を前記ＡＣ電源から前記バッテリーに切り換えるとともに、前記バッテリーの充電量が不足するときには電源を前記バッテリーから前記ＡＣ電源に切り換え、さらに、前記ＡＣ電源からの給電がなくなった場合には電源を前記ＡＣ電源から前記バッテリーに切り換える一方、
土台を構成するアンカー部から前記自動販売機の両側部に沿ってそれぞれ立設する側部フレームと、
両側部フレームの上端部を前記自動販売機の上側において繋ぐベース部とを備え、
前記ベース部上には前記ソーラーパネルが前記自動販売機の上方において取り付けられ、そのベース部が前記自動販売機の上面に載置されるとともに前記両側部フレームにより位置決めされ、前記ソーラーパネルが前記ベース部を介して前記両側部フレームにより保持される場合がある。
【００１０】
あるいは、上記した自動販売機用電力供給装置は、
屋外に設置される自動販売機へＡＣ電源を含む電力を供給するための自動販売機用電力供給装置において、
太陽光を受けて発電するソーラーパネルと、
そのソーラーパネルにより発電された電力を充電し、かつその充電した電力を前記自動販売機に給電するバッテリーと、
そのバッテリーの充電量及び前記ＡＣ電源からの給電の有無を監視することにより、前記自動販売機を駆動するための電源を前記バッテリーとＡＣ電源との間で切り換えるコントローラーとを備え、
前記コントローラーは、前記バッテリーの充電量が前記自動販売機を駆動するに足るときには電源を前記ＡＣ電源から前記バッテリーに切り換えるとともに、前記バッテリーの充電量が不足するときには電源を前記バッテリーから前記ＡＣ電源に切り換え、さらに、前記ＡＣ電源からの給電がなくなった場合には電源を前記ＡＣ電源から前記バッテリーに切り換える一方、
土台を構成するアンカー部から前記自動販売機の両側部に沿ってそれぞれ立設する側部フレームと、
両側部フレームの上端部を前記自動販売機の上側において繋ぐベース部とを備え、
前記ベース部上には前記ソーラーパネルが前記自動販売機の上方において取り付けられ、そのベース部が前記自動販売機の上面に載置されるとともに前記両側部フレームにより位置決めされ、前記ソーラーパネルが前記ベース部を介して前記両側部フレームにより保持され、
さらに、前記自動販売機の背面側に近接して、前記バッテリーがバッテリー保持部材を介して保持される場合もある。
【００１１】
このように、自動販売機を駆動するための電源をバッテリーとＡＣ電源との間で切り換えることによって、ＡＣ電源の電力使用量を低減し、ＣＯ２排出量を削減して、地球温暖化等の地球環境の悪化を抑制することができる。また、災害発生時等の停電時にも駆動可能である。なお、停電時には、自動販売機としての最小機能を果たせるだけの電力をバッテリーから給電すればよい。
【００１２】
さらに、両側部フレームの上端部をベース部で繋ぐことによって自動販売機の周囲を囲む形態がとられ、ソーラーパネルはベース部の上方で支持されるので、自動販売機の基本機能である販売機能（商品の搬送、取り出し等）や販売品表示機能（商品や取り出し口の照明等）を損なうことなく、ソーラーパネルの設置が自動販売機の周囲の空間を利用して簡素に構成できる。
【００１３】
しかも、自動販売機の背面側に近接して、バッテリーがバッテリー保持部材（例えば制御ボックス）を介して保持される場合には、自動販売機の後方空間をも有効利用して簡素に構成できる。また、かなりの重量物（例えば６０ｋｇ超）となるバッテリーを自動販売機の上部に載置しなくてすむので、自動販売機の変形等を防止できる。さらに、風雨にさらされやすい自動販売機の上部（天井部）や、雨水の影響を受けやすい地表面を避けて、バッテリーを空中に設置できるので、水分の影響によるバッテリーの品質劣化や短絡を避けることができる。
【００１４】
これらの自動販売機用電力供給装置において、ベース部上にはソーラーパネルが自動販売機の上方において（例えば所定の隙間を有して、すなわち自動販売機から浮かせた状態で）取り付けられ、そのソーラーパネルがベース部を介して両側部フレームにより支持される場合には、ソーラーパネルやベース部の重量は自動販売機にはかからなくなる。したがって、側部フレームは（例えば片側１本ずつでも）ソーラーパネルの荷重を強固に支持できるようになり、ソーラーパネルやベース部の支持構造を、自動販売機を取り囲むようにして簡素に構成できる。
【００１５】
一方、上記自動販売機用電力供給装置において、ベース部上にはソーラーパネルが自動販売機の上方において取り付けられ、そのベース部が自動販売機の上面（天井部）に載置されるとともに両側部フレームにより位置決めされるとともに、ソーラーパネルがベース部を介して両側部フレームにより保持される場合には、側部フレームを強固に構成しなくても（むしろ弾性変形能を大きくして）ソーラーパネルやベース部の（特に左右方向への）位置ずれを防止することができる。例えば、側部フレームが自動販売機とベース部との相対位置関係の変化（位置ずれ）を受け止めて、設置時の位置調整による位置ずれや、自動販売機の大きさ（左右幅）の違いによる位置ずれを側部フレームで調整（吸収）することができる。この場合、ベース部を自動販売機の上部に載置することにより、ソーラーパネルやベース部の重量を自動販売機の上部で全部支持してもよいし、自動販売機の上部と両側部フレームとで分担して支持してもよい。自動販売機の上部と両側部フレームとの分担割合はいずれを多くしてもよい。
【００１６】
その際、ベース部が、左右方向の幅調節可能な接続部を介して側部フレームの上端部と連結され，接続部での幅調節によって、自動販売機とベース部との相対位置関係の変化を受け止めることができれば、接続部によりベース部（及びソーラーパネル）の自動販売機とベース部との相対位置関係の変化（位置ずれ）をより効果的に防止できる。
【００１７】
例えば、ソーラーパネルは、ベース部から立設するパネル支持フレームに支持され、自動販売機の前方側が低く後方側が高くなるように傾斜して配置されるとともに、
パネル支持フレームとソーラーパネルとの取付位置又は取付角度の調節によって、ソーラーパネルの傾斜角を調整可能とすることができる。
【００１８】
ソーラーパネルの傾斜角（すなわち地表面からの立ち上がり角）θは、３０°が設置の標準とされているので、自動販売機の大きさ（高さや左右幅）にあわせて設置時の傾斜角を調整することができる。また、太陽の南中高度等によって発電効率も変動するので、例えば季節毎に最適の傾斜角に調整することもできる。
【００１９】
したがって、上記課題を解決するために、本発明の自動販売機は、
上記自動販売機用電力供給装置を備え、電源をバッテリーとＡＣ電源との間で切り換えて給電されることを特徴とする。
【００２０】
これによって、ＡＣ電源の電力使用量を低減し、ＣＯ２排出量を削減して、地球温暖化等の地球環境の悪化を抑制することができ、災害発生時等の停電時にも駆動可能となる。また、そのためのソーラーパネルの設置が自動販売機の周囲の空間を利用して簡素に構成できる利点もある。
【発明を実施するための最良の形態】
【００２１】
（実施例１）
以下、本発明の実施形態を図面を参照しつつ説明する。図１は本発明に係る電力供給装置を備えた自動販売機の一例を示す斜視図、図２はその側面図である。図１及び図２に示す自動販売機１００は、ＡＣ電源（商用１００Ｖ又は２００Ｖ電源；図７参照）で駆動可能であるとともに、上面が地表面ＧＬと平行になるように屋外に設置されて、ソーラーパネル２と制御ボックス６（バッテリー保持部材）とを有する電力供給装置１を備えている。
【００２２】
ソーラーパネル２は、自動販売機１００の上部に位置させた状態で保持され、太陽光を受けて発電する。発電効率を高めるため、ソーラーパネル２（自動販売機１００の前面側）は南向きに設置することが望ましい。
【００２３】
図７に示すように、制御ボックス６には、バッテリー３とコントローラー４とインバーター５とが収容されている。バッテリー３は、ソーラーパネル２により発電された電力を充電し、充電した電力を自動販売機１００に給電する。コントローラー４は、バッテリー３の充電量及びＡＣ電源からの給電の有無を監視し、自動販売機１００を駆動するための電源をバッテリー３とＡＣ電源との間で切り換える。インバーター５はバッテリー３から自動販売機１００に給電するときに直流から交流へ変換する。ソーラーパネル２、バッテリー３、及びＡＣ電源は、それぞれコントローラー４に並列的に入力され、コントローラー４の出力はインバーター５を介して自動販売機１００に入力されている。
【００２４】
コントローラー４は、次のように機能している。
（１）バッテリー３の充電量が自動販売機１００を駆動可能であれば、コントローラー４は自動販売機１００の駆動電源をＡＣ電源からバッテリー３に切り換える。
（２）バッテリー３の充電量が自動販売機１００を駆動不可能であれば、コントローラー４は自動販売機１００の駆動電源をバッテリー３からＡＣ電源に切り換える。
（３）ＡＣ電源からの給電がなくなったときには、コントローラー４は自動販売機１００の駆動電源をＡＣ電源からバッテリー３に切り換える。
【００２５】
次に、図３は本発明に係る電力供給装置の一例を示す平面図、図４はその正面図、図５は側面図、図６は同じく分解斜視図である。図４に示す電力供給装置１において、ソーラーパネル２は、自動販売機１００の上部に位置させたベース板１０（ベース部）に取り付けられている。そのベース板１０は、地表面ＧＬにて土台を構成する側部アンカー３０Ｌ，３０Ｒ（アンカー部）から自動販売機１００の両側部に沿ってそれぞれ立設する側板２０Ｌ，２０Ｒ（側部フレーム）に取り付けられている。ベース板１０は、両側板２０Ｌ，２０Ｒの上端部を地表面ＧＬと平行に繋ぐことによって自動販売機１００の周囲を囲む形態をとるとともに、上方でソーラーパネル２を支持する。
【００２６】
図５に示すように、ソーラーパネル２は、ベース板１０から立設するパネル支柱１１Ｆ，１１Ｂ（パネル支持フレーム）に支持されて、自動販売機１００の前方側（南側）が低く後方側（北側）が高くなるように傾斜して配置されている。パネル支柱１１Ｆ，１１Ｂとソーラーパネル２とは、後述するように取付位置（又は取付角度）が調節でき、ソーラーパネル２の傾斜角θ（地表面ＧＬからの立ち上がり角）を調整可能である。
【００２７】
具体的には図６に示すように、左右の側板２０Ｌ，２０Ｒは、左右の側部アンカー３０Ｌ，３０Ｒから自動販売機１００の両側部に沿って前後２本ずつ立設している。ベース板１０の下面には、左右方向に延びる前後２本のベース支持板１２Ｆ，１２Ｂ（ベース支持フレーム；接続部）が平行状に固定され、そのベース支持板１２Ｆ，１２Ｂを介してベース板１０は自動販売機１００の上部に載置されている（図５参照）。
【００２８】
左右の側板２０Ｌ，２０Ｒの下端部は、左右の側部アンカー３０Ｌ，３０Ｒから立ち上がる起立板３０ａ，３０ａとねじ等の締結部材でそれぞれ固定されている。また、その上端部は、角状のパイプ部材で構成され、先端が水平方向内側へ向って延びる連結枠２１Ｌ，２１Ｒ（上部フレーム；接続部）の基端部に固定され、左右の側板２０Ｌ，２０Ｒと左右の連結枠２１Ｌ，２１Ｒとはそれぞれ逆Ｌ字形状に枠形成されている。さらに、ベース支持板１２Ｆ，１２Ｂの両端部は各連結枠２１Ｌ，２１Ｒの先端から挿入され、連結枠２１Ｌ，２１Ｒのパイプ部材内面でスライド可能に接続されているので、連結枠２１Ｌ，２１Ｒの左右方向の幅（側部アンカー３０Ｌ，３０Ｒの離間距離）を調節できる。なお、接続部を構成するベース支持板１２Ｆ，１２Ｂの外面と連結枠２１Ｌ，２１Ｒの内面とがスライドする際の摺動によって摩耗しないように、いずれかの摺動面（例えば連結枠２１Ｌ，２１Ｒの内面）を保護部材で被覆することが望ましい。
【００２９】
このように、ベース板１０は自動販売機１００の上部（天井部）に載置され、自動販売機１００の両側部でベース板１０に連なる４個の側板２０Ｌ，２０Ｒが自動販売機１００とベース板１０との相対位置関係の変化（位置ずれ）を受け止めるので、設置時の位置調整による位置ずれや、自動販売機１００の大きさ（左右幅）の違いによる位置ずれを側板２０Ｌ，２０Ｒで調整（吸収）することができる。したがって、４個の側板２０Ｌ，２０Ｒの各々を強固に構成しなくても（むしろ弾性変形能を大きくして）ソーラーパネル２やベース板１０の左右方向への位置ずれを防止することができる。ここでは、ベース板１０を自動販売機１００の上部に載置することにより、ソーラーパネル２やベース板１０の重量を自動販売機１００の上部で全部支持し、側板２０Ｌ，２０Ｒで位置ずれを防止している。また、ベース支持板１２Ｆ，１２Ｂと連結枠２１Ｌ，２１Ｒとが長手方向にスライド可能な接続部を構成しているので、ソーラーパネル２やベース板１０の左右方向への位置ずれを防止することができる。
【００３０】
上記した通り、ベース板１０から前後２本のパネル支柱１１Ｆ，１１Ｂが立設し、ソーラーパネル２は、前後２本のパネル支柱１１Ｆ，１１Ｂで支持されている。具体的には、ソーラーパネル２の裏面側に固定される支軸２ａ周りに回動可能な筒状部２Ｆ，２Ｂにパネル支柱１１Ｆ，１１Ｂが挿入され、ねじ等の締結部材でそれぞれ位置調節可能に連結されている。ベース板１０のパネル支柱１１Ｆ，１１Ｂとソーラーパネル２の筒状部２Ｆ，２Ｂとの連結位置（又は取付角度）を調節すると、ソーラーパネル２の傾斜角θが調整できる。自動販売機１００の大きさ（高さや左右幅）にあわせて設置時の傾斜角θを調整したり、例えば季節毎に最適の傾斜角θに調整することもできる。
【００３１】
制御ボックス６（バッテリー３等を収容）は、自動販売機１００及びソーラーパネル２の左右幅内であって、かつ自動販売機１００の後方において（背面側に近接して）、後部アンカー３１Ｂ（アンカー部）から立設する左右２本のバッテリー支柱３１ａ，３１ａ（バッテリー支持フレーム）に支持され、地表面ＧＬより上方であって自動販売機１００の上面（天井面）よりも低い位置に保持されている（図５参照）。具体的には、制御ボックス６から下方に突出する左右２本の筒状部６ａ，６ａにバッテリー支柱３１ａ，３１ａがそれぞれ挿入され、ねじ等の締結部材で固定されている。かなりの重量物（例えば６０ｋｇ超）となる制御ボックス６を自動販売機１００の上部に載置しなくてすむので、自動販売機１００の変形等を防止できる。また、風雨にさらされやすい自動販売機１００の上部（天井部）や、雨水の影響を受けやすい地表面ＧＬを避けて、バッテリー３を空中に設置できるので、水分の影響によるバッテリー３の品質劣化や短絡を避けることができる。
【００３２】
次に、図７のブロック図に基づいてコントローラー４で実行される電源切換処理を、図８のフローチャートに示す。コントローラー４は、まずＡＣ電源からの給電があるか（すなわち、自然災害、発電事故等の発生による停電がないか）を確認する（Ｓ１）。給電があれば（Ｓ１：ＹＥＳ）、次にバッテリー３の充電量は所定（例えば、自動販売機１００をフル稼働可能なレベル）以上あるかをチェックする（Ｓ２）。このとき、バッテリー３の充電量が充分であれば（Ｓ２：ＹＥＳ）、コントローラー４は、自動販売機１００の駆動電源をバッテリー３に切り換えて（Ｓ３）、電源切換処理を終了する。一方、バッテリー３の充電量が不充分であれば（Ｓ２：ＮＯ）、コントローラー４は、自動販売機１００の駆動電源をＡＣ電源に切り換えて（Ｓ４）、電源切換処理を終了する。
【００３３】
また、ＡＣ電源からの給電がないとき（停電時）には（Ｓ１：ＮＯ）、バッテリー３の充電量にかかわらず、自動販売機１００の駆動電源をバッテリー３に切り換えて（Ｓ５）、電源切換処理を終了する。ただし、バッテリー３の充電量は満充電でない場合もあるので、自動販売機１００としての最小機能（例えば、商品の搬送、取り出し等の販売機能のみ）を果たせるだけの省電力で駆動し、商品や取り出し口の照明等の販売品表示機能を停止すれば、災害発生時等にバッテリー３の寿命を長持ちさせることができる。
【００３４】
このように、自動販売機１００を駆動するための電源をバッテリー３とＡＣ電源との間で切り換えることによって、ＡＣ電源の電力使用量を大幅に低減し、ＣＯ２排出量を削減（例えば２０〜３０％）して、地球温暖化等の地球環境の悪化を抑制することができる。また、災害発生時等の停電時にも駆動可能となる。
【００３５】
（実施例２）
図９は本発明に係る電力供給装置の他の例を示す正面図、図１０はその側面図である。図９及び図１０に示す電力供給装置１０１において、左右のパイプ状フレーム体１２０Ｌ，１２０Ｒ（側部フレーム）は例えば角パイプで構成され、その下端部は、左右の側部アンカー３０Ｌ，３０Ｒにそれぞれ直接固定され、自動販売機１００の両側部に沿って１本ずつ立設している。また、その上端部は、例えば角パイプで構成され地表面ＧＬと平行に配置されるパイプ状ベース体１１０（ベース部）の左右の端部とそれぞれ直接固定されている。さらに、パイプ状ベース体１１０は、自動販売機１００の上部と隙間Ｓをあけて配置されている。
【００３６】
このように、パイプ状ベース体１１０は、自動販売機１００の上方に隙間Ｓをあけて（自動販売機１００から浮かせた状態で）配置され、自動販売機１００の両側部でパイプ状ベース体１１０に連なるパイプ状フレーム体１２０Ｌ，１２０Ｒがパイプ状ベース体１１０及びソーラーパネル２を支持するので、ソーラーパネル２やパイプ状ベース体１１０の重量は自動販売機１００にはかからなくなる。パイプ状ベース体１１０と左右のパイプ状フレーム体１２０Ｌ，１２０Ｒとで門型状の枠を構成することができるので、左右のパイプ状フレーム体１２０Ｌ，１２０Ｒは片側１本ずつでもソーラーパネル２の荷重を強固に支持できるようになる。したがって、ソーラーパネル２やパイプ状ベース体１１０の支持構造は、自動販売機１００を取り囲むようにして簡素に構成できる。なお、パイプ状ベース体１１０の左右方向中央部には、前後方向に補強リブ板１１２Ｆ，１１２Ｂがそれぞれ突出形成され、パイプ状ベース体１１０の強度を高めている。
【００３７】
パイプ状ベース体１１０から１本のパネル支柱１１１（パネル支持フレーム）が立設し、ソーラーパネル２は、１本のパネル支柱１１１で支持されている。具体的には、ソーラーパネル２の裏面側に固定される支軸２ａ周りに回動可能な筒状部１０２にパネル支柱１１１が挿入され、ねじ等の締結部材で位置調節可能に連結されている。パイプ状ベース体１１０のパネル支柱１１１とソーラーパネル２の筒状部１０２との連結位置（又は取付角度）を調節すると、ソーラーパネル２の傾斜角θが調整できる。なお、ソーラーパネル２の前端部を前方側の補強リブ板１１２Ｆに当接させて傾斜角θの位置決めをしてもよい。
【００３８】
制御ボックス６（バッテリー３等を収容）から下方に突出する１本の筒状部６ａは、例えば角パイプで構成され、自動販売機１００の後方において後部アンカー３１Ｂ（アンカー部）に直接固定されて、制御ボックス６を地表面ＧＬより上方であって自動販売機１００の上面（天井面）よりも低い位置に保持している。なお、筒状部６ａには、前後方向に補強リブ板６ｂ，６ｂがそれぞれ突出形成され、筒状部６ａの強度を高めている。
【００３９】
以上で説明した変形例として、例えば、実施例１（図５）においてベース板１０を自動販売機１００の上部に載置する際、ソーラーパネル２やベース板１０の重量を自動販売機１００の上部と両側板２０Ｌ，２０Ｒとで分担して支持してもよい。自動販売機１００の上部と両側板２０Ｌ，２０Ｒとの分担割合はいずれを多くしてもよい。あるいは、実施例１（図５）のベース板１０は、実施例２（図９及び図１０）と同様に自動販売機１００の上方に隙間Ｓをあけて（自動販売機１００から浮かせた状態で）配置してもよい。
【図面の簡単な説明】
【００４０】
【図１】本発明に係る電力供給装置を備えた自動販売機の一例を示す斜視図。
【図２】図１の側面図。
【図３】本発明に係る電力供給装置の一例を示す平面図。
【図４】図３の正面図。
【図５】図４の側面図。
【図６】図４の分解斜視図。
【図７】本発明に係る電力供給装置の電気的構成を示すブロック図。
【図８】電源切換処理を示すフローチャート。
【図９】本発明に係る電力供給装置の他の例を示す正面図。
【図１０】図９の側面図。
【符号の説明】
【００４１】
１        電力供給装置
２        ソーラーパネル
２Ｆ，２Ｂ  筒状部
３        バッテリー
４        コントローラー
５        インバーター
６        制御ボックス（バッテリー保持部材）
１０      ベース板（ベース部）
１１Ｆ，１１Ｂ  パネル支柱（パネル支持フレーム）
１２Ｆ，１２Ｂ  ベース支持板（ベース支持フレーム；接続部）
２０Ｌ，２０Ｒ  側板（側部フレーム）
２１Ｌ，２１Ｒ  連結枠（上部フレーム；接続部）
３０Ｌ，３０Ｒ  側部アンカー（アンカー部）
３１Ｂ    後部アンカー（アンカー部）
３１ａ    バッテリー支柱（バッテリー支持フレーム）
１００    自動販売機
１０１    電力供給装置
１０２    筒状部
１１０    パイプ状ベース体（ベース部）
１１１    パネル支柱（パネル支持フレーム）
１２０Ｌ，１２０Ｒ  パイプ状フレーム体（側部フレーム）
ＡＣ      ＡＣ電源
Ｓ        隙間
θ        傾斜角
【図１】
0004486674.tif 000002
【図２】
0004486674.tif 000003
【図３】
0004486674.tif 000004
【図４】
0004486674.tif 000005
【図５】
0004486674.tif 000006
【図６】
0004486674.tif 000007
【図７】
0004486674.tif 000008
【図８】
0004486674.tif 000009
【図９】
0004486674.tif 000010
【図１０】
0004486674.tif 000011